(57)【要約】      （修正有）【課題】テールバンチ巻において、後処理工程での手直し減少，屑処理に係るコストの削減、ボビンの再利用回数の向上が出来る、糸条パッケージ製造装置の提供。【解決手段】糸切替に際し、トラバース装置の綾振り幅外に糸寄せガイドで走行糸条を移動させる際に糸寄せ位置に達するまでは、巻取位置の空巻ボビンと接触しないように、走行糸条を案内する。また、、糸寄せ位置に達する時には空巻ボビンの糸把持部に把持させるべく空巻ボビンに接触するように、走行糸条の糸道を短くしつつ案内することで糸切替えするとともに、糸把持部に走行糸条が把持され、空巻ボビンに走行糸条が巻付く際に走行糸条を糸寄せガイドの糸寄せ部から解放し、タッチローラーに設けた糸条案内溝で走行糸条を規制するとともに糸条案内溝の溝底方向に走行糸条を押さえつつトラバース装置の綾振り幅内に走行糸条を案内する。【選択図】図３１
2006248639.tif 000002
【特許請求の範囲】
【請求項１】
軸方向端部に糸把持部を備えたボビンを装着した複数のスピンドルと、該複数のスピンドルのうち巻取位置にあるスピンドルと待機位置にあるスピンドルとの位置を切り替えるスピンドル切替装置と、前記巻取位置にあるスピンドルに装着されたボビンに向かって走行してくる走行糸条を前記巻取位置にある前記スピンドルの回転軸方向の所定の綾振り幅にわたって綾振りするトラバース装置と、前記巻取位置にある前記スピンドルに装着された前記ボビンに所定の圧接部位において圧接され、外周面に前記トラバース装置により綾振りされた前記走行糸条を接触させながら前記所定の圧接部位へ案内し前記巻取位置にある前記スピンドルに装着された前記ボビンに巻取らせるタッチローラーとを備え、前記巻取位置にある前記スピンドルに装着された前記ボビン上に糸条パッケージを形成する糸条パッケージの製造装置であって、
（１）前記タッチローラーよりも前記走行糸条の走行方向の上流に配設され、前記スピンドル切替装置により、前記巻取位置にある前記スピンドルに装着された前記ボビン上に所定の糸条を巻き取って満巻となったときに前記巻取位置にある前記スピンドルと前記待機位置にある空巻のボビンが装着されたスピンドルとの位置の切替を行った後に、前記トラバース装置の綾振り幅外の前記空巻のボビンの前記糸把持部に対応する糸寄せ位置に前記走行糸条を移動させる糸寄せ部を有し、前記走行糸条を前記空巻のボビンの前記糸把持部へ把持させ前記空巻のボビンに前記走行糸条が巻き付く際に前記走行糸条が前記糸寄せ部から外れるよう構成された糸寄せガイドを備え、
（２）前記タッチローラは、前記糸寄せ位置に対応する部位と前記トラバース装置の綾振り幅端部に対応する部位との間に糸条案内溝が形成されており、
（３）前記タッチローラの糸条走行方向上流側に配設され、前記走行糸条の前記把持により前記空巻のボビンに前記走行糸条が巻き付いて前記糸寄せガイドの前記糸寄せ部から外れた前記走行糸条を前記タッチローラに形成された前記糸条案内溝の溝底方向に押さえ付ける糸押さえ部を有する糸押さえガイドを有することを特徴とする糸条パッケージの製造装置。
【請求項２】
前記糸押さえガイドと前記糸寄せガイドが一体に形成された複合ガイドであることを特徴とする請求項１に記載の糸条パッケージの製造装置。
【請求項３】
軸方向端部に糸把持部を備えたボビンを装着した複数のスピンドルと、該複数のスピンドルのうち巻取位置にあるスピンドルと待機位置にあるスピンドルとの位置を切り替えるスピンドル切替装置と、前記巻取位置にあるスピンドルに装着されたボビンに向かって走行してくる走行糸条を前記巻取位置にある前記スピンドルの回転軸方向の所定の綾振り幅にわたって綾振りするトラバース装置とを備え、前記巻取位置にある前記スピンドルに装着された前記ボビン上に糸条パッケージを形成する糸条パッケージの製造装置であって、
（１）前記巻取位置に位置するスピンドルよりも前記走行糸条の走行方向の上流に配設され、前記スピンドル切替装置により、前記巻取位置にある前記スピンドルに装着された前記ボビン上に所定の糸条を巻き取って満巻となったときに前記巻取位置にある前記スピンドルと前記待機位置にある空巻のボビンを装着したスピンドルとの位置の切替を行った後に、前記トラバース装置の綾振り幅外の前記ボビンの端部に形成された糸把持部に対応する糸寄せ位置に前記走行糸条を移動させる糸寄せ部を有する糸寄せガイドを備え、
（２）前記糸寄せガイドよりも前記走行糸条の走行方向の下流側に配設され、前記糸寄せガイドによる前記走行糸条の移動開始前から前記走行糸条が前記糸寄せ位置に達するまでは、巻取位置に位置する前記スピンドルに装着された前記空巻の前記ボビンに前記走行糸条が接触しないよう前記走行糸条を案内し、前記走行糸条が前記糸寄せ位置に達する時には前記走行糸条が前記空巻のボビンの前記糸把持部に把持されるべく前記走行糸条の糸道を短くしつつ案内する糸案内ガイドを、有することを特徴とする糸条パッケージの製造装置。
【請求項４】
前記糸案内ガイドの前記走行糸条の走行方向の下流に配設され、前記走行糸条が、前記巻取位置に位置するスピンドルよりも前記走行糸条の走行方向の上流において前記糸寄せガイドにより前記トラバース装置の前記綾振り幅外に移動させられた際であっても、前記待機位置にあるスピンドルに装着されたボビン近傍では前記走行糸条が前記トラバース装置の綾振り幅内にとどまるよう前記走行糸条の位置を規制する表層糸規制ガイド備えていることを特徴とする請求項３に記載の糸条パッケージの製造装置。
【請求項５】
前記走行糸条を前記空巻のボビンの前記糸把持部へ把持させ前記空巻のボビンに前記走行糸条が巻き付く際に前記走行糸条が前記糸寄せ部から外れるよう前記糸寄せガイドを構成することを特徴とする請求項３または４に記載の糸条パッケージの製造装置。
【請求項６】
前記ボビンの前記糸把持部が、前記ボビンの回転軸に対して実質的に直交する方向に形成されたスリット溝である請求項３〜５のいずれかに記載の糸条パッケージの製造装置。
【請求項７】
前記糸寄せ位置に位置する際の前記糸寄せガイドの前記糸寄せ部と前記糸案内ガイドの糸案内端とを結ぶ直線が、前記ボビンの回転軸に対して直交する方向にあることを特徴とする請求項６に記載の糸条パッケージの製造装置。
【請求項８】
軸方向端部に糸把持部を備えたボビンを装着した複数のスピンドルのうち巻取位置にあるスピンドルと待機位置にあるスピンドルとの位置を切り替える構成の糸条パッケージの製造装置を用いて、回転する前記巻取位置にあるスピンドルに装着されたボビンに向かって走行してくる走行糸条を前記巻取位置にある前記スピンドルの回転軸方向の所定の綾振り幅に渡って綾振りし、前記巻取位置にある前記スピンドルに装着された前記ボビンに所定の圧接部位においてタッチローラーを圧接し、前記タッチローラーの外周面に前記綾振りされた前記走行糸条を接触させながら前記所定の圧接部位へ案内し、前記巻取位置にある前記スピンドルに装着された前記ボビンに巻き取らせることで前記巻取位置にある前記スピンドルに装着された前記ボビン上に糸条パッケージを形成する糸条パッケージの製造方法であって、
（１）前記タッチローラーよりも前記走行糸条の走行方向の上流で、前記巻取位置にある前記スピンドルに装着された前記ボビン上に所定の糸条を巻き取って満巻となったときに前記巻取位置にある前記スピンドルと前記待機位置にある空巻のボビンが装着されたスピンドルとの位置を切り替えた後に、前記綾振り幅外の前記空巻のボビンの前記糸把持部に対応する糸寄せ位置に糸寄せガイドの糸寄せ部によって前記走行糸条を移動させ、前記走行糸条を前記空巻のボビンの前記糸把持部に把持させ、前記空巻のボビンに前記走行糸条が巻き付く際に前記走行糸条を前記糸寄せ部から解放し、
（２）前記タッチローラの糸条走行方向上流側で、前記走行糸条の前記把持により前記空巻のボビンに前記走行糸条が巻き付いて前記糸寄せガイドの前記糸寄せ部から外れた前記走行糸条を前記タッチローラの、前記糸寄せ位置に対応する部位と前記綾振り幅端部に対応する部位との間に形成された糸条案内溝に案内し、
（３）前記糸条案内溝に案内された前記走行糸条を前記タッチローラに形成された前記糸条案内溝の溝底方向に押さえ付け、前記空巻のボビンによる前記糸条の巻取を開始させることを特徴とする糸条パッケージの製造方法。
【請求項９】
軸方向に糸把持部を備えたボビンを装着した複数のスピンドルのうち巻取位置にあるスピンドルと待機位置にあるスピンドルとの位置を切り替える構成の糸条パッケージの製造装置を用いて、回転する前記巻取位置にあるスピンドルに装着されたボビンに向かって走行してくる走行糸条を前記巻取位置にある前記スピンドルの回転軸方向の所定の綾振り幅に渡って綾振りし、前記巻取位置にある前記スピンドルに装着された前記ボビンに巻き取らせることで前記巻取位置にある前記スピンドルに装着された前記ボビン上に糸条パッケージを形成する糸条パッケージの製造方法であって、
（１）前記巻取位置に位置するスピンドルよりも前記走行糸条の走行方向の上流で、前記巻取位置にある前記スピンドルに装着された前記ボビン上に所定の糸条を巻き取って満巻となったときに前記巻取位置にある前記スピンドルと前記待機位置にある空巻のボビンを装着したスピンドルとの位置を切り替えた後に、糸寄せガイドの糸寄せ部で前記綾振り幅外の前記ボビンの端部に形成された糸把持部に対応する糸寄せ位置に前記走行糸条を移動させ、
（２）前記糸寄せガイドよりも前記走行糸条の走行方向の下流側で、前記糸寄せガイドによる前記走行糸条の移動開始前から前記走行糸条が前記糸寄せ位置に達するまでは、巻取位置に位置する前記スピンドルに装着された前記空巻の前記ボビンに前記走行糸条が接触しないよう前記走行糸条を案内し、前記走行糸条が前記糸寄せ位置に達する時には前記走行糸条が前記空巻のボビンの前記糸把持部に把持されるべく前記走行糸条の糸道を短くしつつ案内することを特徴とする糸条パッケージの製造方法。
【請求項１０】
前記走行糸条が、前記巻取位置に位置するスピンドルよりも前記走行糸条の走行方向の上流において前記糸寄せガイドにより前記綾振り幅外に移動させられた際であっても、前記待機位置にあるスピンドルに装着されたボビン近傍では前記走行糸条が前記綾振り幅内にとどまるよう前記走行糸条の位置を規制することを特徴とする請求項９に記載の糸条パッケージの製造方法。
【請求項１１】
前記走行糸条を前記空巻のボビンの前記糸把持部へ把持させ前記空巻のボビンに前記走行糸条が巻き付く際に前記走行糸条を前記糸寄せガイドの前記糸寄せ部から解放することを特徴とする請求項９または１０に記載の糸条パッケージの製造方法。
【請求項１２】
前記ボビンとして、前記糸把持部が、前記ボビンの回転軸に対して実質的に直交する方向に形成されたスリット溝として形成され、該スリット溝に前記走行糸条を挟むことで前記走行糸条を把持するものを用いることを特徴とする請求項９〜１１のいずれかに記載の糸条パッケージの製造方法。
【請求項１３】
前記スリット溝に前記走行糸条を把持する際、前記走行糸条の糸道を前記
スリット溝部ライン上に合致させることを特徴とする請求項１２に記載の糸条パッケージの製造方法。
【発明の詳細な説明】
【技術分野】
【０００１】
本発明は、糸条パッケージの製造装置および製造方法に関する。
【背景技術】
【０００２】
従来、繊維糸条を高速度で巻取る場合において、糸を２つのボビンの間で切り替える様子を、図１〜１５を用いて説明する。
【０００３】
図１は、巻取中の糸条パッケージが所定の巻量巻上がり、切替動作を開始する直前の状態における糸条パッケージ製造装置を正面方向から見た図であり、図２はその側面図である。図１および２において、１はトラバース装置、２はトラバース装置１に対向して糸道を規制する対向板、３は糸条パッケージ４の外周に圧接しつつトラバース装置１に綾振りされた走行糸条１０を案内するタッチローラである。糸条パッケージ４は矢印Ｎ方向に回転する２本のスピンドル６にそれぞれ装着されたボビン７に走行糸条１０が巻取られることで形成されるものである。これらの図においてボビン７は、走行糸条１０が所定の巻量巻かれたものを満ボビン７ｂで表し、走行糸条１０がまだ巻かれていない状態ものを空巻ボビン７ａで表している。このボビン７を装着した２本のスピンドル６はタッチローラー３が接触し走行糸条１０を巻取る巻取位置と空巻ボビン７ａを装着し待機する待機位置とに交互に移動させるスピンドル切替装置５に設置されている。
【０００４】
また、ボビン７の端部には所定長の糸が巻上がった満ボビン７ｂから空巻ボビン７ａへと走行糸条１０を受け渡す際に満ボビン７ｂに巻取中の走行糸条１０を空巻ボビン７ａ側で把持するための糸把持部１７が設けられている。トラバース装置１よりも走行糸条１０の走行方向上流側には、走行糸条１０をトラバース装置１から外し空巻ボビン７ａ端部の糸把持部１７に対応する位置へ移動させる糸寄せガイド１２が配設され、図示していないエアーシリンダにより駆動される構成となっている。
【０００５】
さらに、タッチローラー３に接触する巻取位置へと空巻ボビン７ａが移動した後、糸寄せガイド１２により走行糸条１０が空巻ボビン７ａ端部の糸把持部１７に対応する位置へと移動させる際に、走行糸条１０が空巻ボビン７ａに接触しないよう走行糸条１０の糸道を空巻ボビン７ａから遠ざけるための糸逃がしバー９が、スピンドル切替装置５に２本設けられている。糸逃がしバー９には、糸寄せガイド１２で満ボビン７ｂに巻かれる走行糸条１０を移動させた際に走行糸条１０が満ボビン７ｂの糸条巻き巾よりも端側に移動し満ボビン７ｂ端面に脱落することを防止するための表層糸規制ガイド１１が設けられている。
【０００６】
１６はタッチローラー３に接触する巻取位置に移動した空巻ボビン７ａに走行糸条１０を受け渡す際、空巻ボビン７ａ端部の糸把持部１７に満ボビン７ｂに巻かれる走行糸条１０を押し付けることで糸掛けを行なう糸掛けガイドである。糸掛けガイド１６は図示していないエアーシリンダで駆動する構成となっている。
【０００７】
１５は空巻ボビン７ａ端部に対応する位置で糸寄せガイド１２により移動してきた走行糸条１０を一旦預けると共に同位置で空巻ボビン７ａに走行糸条１０が受け渡された直後も走行糸条１０を一定時間位置規制するための糸係止ガイドである。糸係止ガイド１５はアクチュウエータ１３で進退する構成で糸寄せガイド１２の下流側に配置されている。２０ａはこの糸係止ガイド１５の糸規制によりボビン７端部に形成されたバンチ巻である。更にタッチローラー３の空巻ボビン７ａ端部に対応する位置には、テール巻１９を形成するための糸条案内溝１８が刻設されている。
【０００８】
このように構成された従来の糸条パッケージの製造装置において２つのボビン間での糸の切り替えは次の順で行われる。図１および図２（図１の側面図）で示すように、矢印Ｈ方向に走行する走行糸条１０は対向板２でトラバース装置１の対向方向から糸道を規制し、トラバース装置１にて綾振りするとともに、タッチローラー３にて所定の圧力を糸条パッケージ４の外周面に加える機構と走行糸条１０を巻取るためのボビン７（７ａおよび７ｂ）を保持し矢印Ｎ方向に回転する２本のスピンドル６を有する巻取機によって巻取られている。
【０００９】
そして予め設定された所定の巻量の糸条が巻取られると、切替動作に入るべくスピンドル６を支えるスピンドル切替装置５の回動（矢印Ｊ方向）により、巻取位置の満ボビン７ｂがタッチローラー３と離れ待機位置へと、待機位置の空巻ボビン７ａがタッチローラー３と接触する巻取位置へとそれぞれ移動する。図３および４は図１および２に対応してこの様子を示す図である。その際、巻取位置の空巻ボビン７ａに走行糸条１０が接触しないように、走行糸条１０は糸逃がしバー９を介して待機位置へと移動した満ボビン７ｂに巻かれる糸道を形成する。
【００１０】
次に、図５および図６（図５の側面図）に示すように、糸寄せガイド１２が、走行糸条１０を糸条パッケージ４となる満ボビン７ｂの表層に巻かれる走行糸条１０が満ボビン７ｂの巻幅外に出ないよう、表層糸規制ガイド１１で規制しつつ、満ボビン７ｂの巻幅方向（矢印Ｌ方向）にトラバース装置１から外すとともにボビン端部に移動させる。
【００１１】
そして、図７および図８（図７の側面図）に示すように、アクチュエータ１３にて糸係止ガイド１５が突出し、これに走行糸条１０を預けた状態で、空ボビン７ａに糸掛けがなされるのである(特許文献1)。
【００１２】
次いで、糸掛けは、たとえば、特許文献２に開示される通り、次のように行われる。すなわち、巻取位置に位置する空巻ボビン７ａに接触しないように、糸逃がしバー９を返し満ボビン７ｂに巻かれている走行糸条１０を図９および図１０（図９の側面図）に示すごとく、アクチュエータ（図示せず）により進退可能な糸掛けガイド１６にて、空巻ボビン７ａ端部の糸把持部１７に向かって矢印Ｋ方向に圧接する事で空巻ボビン７ａに渡し、糸掛けを行なう。
【００１３】
この際、図９のＺ−Ｚ矢視図である図１５に示すように、走行糸条１０は空巻ボビン７ａの糸把持部１７に対応する部位であるＳ位置に移動し糸把持部１７に受け渡される。
【００１４】
空巻ボビン７ａに糸が掛かると、図１１および図１２（図１１の側面図）に示すごとく、糸係止ガイド１５がアクチュエータ１３にて後退し、走行糸条１０が糸係止ガイド１５から解放され、解放された走行糸条１０は回転するタッチローラー３の外周部に螺旋状に刻設された糸条案内溝１８に案内される。
【００１５】
そして、走行糸条１０は、空巻ボビン７ａの端部に２〜３周のテール巻１９を形成しつつ再びトラバ−ス装置１の綾振り幅内に案内され、糸切替がなされて、図１３および図１４（図１３の側面図）に示す様に、巻取位置にて空巻ボビン７ａへの走行糸条１０の巻取が開始されることで、新たに糸条パッケージの巻取が行われる。
【００１６】
しかしながら上述のような従来の糸条パッケージの製造装置では、走行糸条１０は空巻ボビン７ａに渡され、糸掛けしたのち、糸係止ガイド１５を退避動作（図１１および図１２の状態）させる。そのため、走行糸条１０は糸係止ガイド１５から解放されるまでの間、ボビンの軸方向の同じ位置で規制される（図９および図１０の状態）。したがって、空巻ボビン７ａ上の同じ位置に何重にも重なりあったバンチ巻２０ａを形成してしまう。
【００１７】
たとえこの時間が０.１秒程度のわずかな時間であっても、例えば糸条を５０００ｍ／分の高速で外径１００mmのボビンに巻取る場合では、約２６周のバンチ巻を形成する事になる。この様にボビン上に巻かれるバンチ巻２０ａをテールバンチ巻と言い、このテールバンチ巻部分の糸条は、糸切替に係わる諸条件および同一の位置に重ねて何重にも巻かれ大径化することにより通常よりも高張力で巻かれる。しかも、ガイド類の擦過もあり、糸品質が劣っているためユーザーに出荷するに際し、除去する必要があった。このため第１の問題点として後処理工程でのテールバンチ巻除去作業がさけられないこととこれによる除去糸屑が発生することが問題であった。
【００１８】
また、満ボビン７ｂ側においては、図６に示すように、満ボビン７ｂの表層に巻かれる走行糸条１０が巻幅外に出ないように、表層糸規制ガイド１１で規制しつつ、走行糸条１０を糸寄せガイド１２によってトラバース装置１から外すとともに空巻ボビン７ａの端部に移動させた後、糸係止ガイド１５に預け、アクチュエータ（図示せず）により進退可能な糸掛けガイド１６にて、空ボビン７ａ端部の糸把持部１７に圧接する。このとき、糸寄せガイド１２で空巻ボビン７ａ端部に移動させた走行糸条１０を糸掛けガイド１６に確実に受け渡すには、少なくとも糸寄せガイド１２が空巻ボビン７ａ端部の位置まで移動した事が確定した時点でないと、糸掛けガイド１６を矢印Ｋ方向に進出させることが出来ない。
【００１９】
更に上記の従来の技術のごとく糸係止ガイド１５に一旦走行糸条１０を預ける場合は、更にもう１ステップ遅れて糸掛けガイド１６を進出することになる。これらの受渡しに際しては、図８に示すように、満ボビン７ｂの表層には、表層糸規制ガイド１１に対応する位置に何重にも重なるバンチ巻２０ｂが形成される。たとえこの時間が０.１秒であっても、例えば糸条を５０００ｍ／分の高速で満ボビン外径３００mmの糸条パッケージに巻取る場合では、約９周のバンチ巻２０ｂを形成する事になる。一般にこの様に糸条パッケージ４（満ボビン７ｂ）の表層部に形成されるバンチ巻２０ｂを表層バンチ巻と言う。
【００２０】
通常は、この受渡し時間を短くすると糸切替失敗が多発し、操業性が著しく低下するため、糸寄せガイド１２での走行糸条１０の移動完了から糸掛けガイド１６による糸掛け完了までの時間は、安全を見て１秒程度の受渡し時間をとっている。このため表層バンチ巻は、１００周近い巻量を有している。この満ボビン７ｂ表層部分のバンチ巻２０ｂの糸条は、上述した空巻ボビン７ａ上のバンチ巻２０ａ（テールバンチ巻）と同様に、糸切替に係わる諸条件および同一位置に重ねて何重にも巻かれ大径化することにより通常よりも高張力で巻かれる上、ガイド類の擦過もあり、糸品質が劣っているためユーザーに出荷するに際し、除去する必要がある。このため第２の問題点として後処理工程での表層バンチ巻除去作業が避けられないこととこれによる除去糸屑が発生することが問題であった。
【００２１】
これに対し、上述した従来の糸条パッケージの巻取装置における第１の問題点および第２の問題点を改善した上述とは異なるタイプの糸条パッケージの巻取装置（特許文献３）が考案されている。この装置の上述の方式との第１の相違点は、図２０および図２１（図２０の側面図）に示すように、糸係止ガイドと糸掛けガイドが無く、糸逃がしバーに代わり、糸折り返しバー２５を有する点である。
【００２２】
この糸折り返しバー２５は、空巻ボビン７ａが巻取位置に移動した際に、空巻ボビン７ａに待機位置の満ボビン７ｂに巻かれる走行糸条１０が接触する糸道を形成する位置に配設されている。そして、糸寄せガイド１２で空ボビン７ａ端部に向かって走行糸条１０を移動させた際、下流側では、満ボビン７ｂの巻幅内に、上流側では、空巻ボビン７ａの糸把持部１７に対応する位置に走行糸条１０を規制する糸規制溝２４を有している。
【００２３】
第２の相違点は、走行糸条１０がタッチローラー３に最初に接触する位置であるｐ点よりも下流側で、かつ糸切替され空巻ボビン７ａに巻付いた糸道（図２２参照）では糸寄せガイド１２から走行糸条１０が外れる位置に糸寄せガイド１２を配設した点である。このタイプの糸条パッケージの製造装置において糸を２つのボビンの間で切り替える様子を、図１６〜２６を用いて説明する。
【００２４】
図１６は、巻取中の糸条パッケージが所定の巻量巻上がり、切替動作を開始する直前の状態における糸条パッケージ製造装置を正面方向から見た図であり、図１７はその側面図である。図１６および１７において、１はトラバース装置、２はトラバース装置１に対向して糸道を規制する対向板、３は糸条パッケージ４の外周に圧接しつつトラバース装置１に綾振りされた走行糸条１０を案内するタッチローラであり、糸条パッケージ４は矢印Ｎ方向に回転する２本のスピンドル６にそれぞれ装着されたボビン７に走行糸条１０が巻取られることで形成されるものである。これらの図においてボビン７は、走行糸条１０が所定の巻量巻かれたものを満ボビン７ｂで表し、走行糸条１０がまだ巻かれていない状態ものを空巻ボビン７ａで表している。このボビン７を装着した２本のスピンドル６はタッチローラー３が接触し走行糸条１０を巻取る巻取位置と空巻ボビン７ａを装着し待機する待機位置とに交互に移動させるスピンドル移動装置５に設置されている。また、ボビン７の端部には所定長の糸が巻上がった満ボビン７ｂから空巻ボビン７ａへと走行糸条１０を受け渡す際に満ボビン７ｂに巻取中の走行糸条１０を空巻ボビン７ａ側に把持するための糸把持部１７が設けられている。
【００２５】
タッチローラ３よりも走行糸条１０の走行方向下流側には、走行糸条１０を捕捉しトラバース装置１から外し空巻ボビン７ａ端部の糸把持部１７に対応する位置へ移動させ、空巻ボビン７ａに走行糸条１０が受け渡されることで走行糸条１０を解放する糸寄せガイド１２が配設され、図示していないエアーシリンダにより駆動される構成となっている。
【００２６】
さらにタッチローラー３に接触する巻取位置へと空巻ボビン７ａが移動した後、糸寄せガイド１２により走行糸条１０を空巻ボビン７ａ端部の糸把持部１７に対応する位置へと移動させた際に、走行糸条１０を空巻ボビン７ａに接触させつつ糸寄せガイド１２の移動方向に対し位置を規制する糸規制溝２４が刻設された糸折り返しバー２５がスピンドル切替装置５に２本設置された構成となっている。
【００２７】
糸規制溝２４はその下流側では待機位置に移動した満ボビン７ｂに巻かれる走行糸条１０を満ボビン７ｂの巻巾外に出ない位置で、また上流側では巻取位置の空巻ボビン７ａ端部の糸把持部１７に対応する位置で走行糸条１０の位置を規制するものである。
【００２８】
また、タッチローラー３の空巻ボビン７ａ端部に対応する位置には、空巻ボビン７ａ側に走行糸条１０が受け渡された後に空巻ボビン７ａ端部にテール巻１９を形成するための糸条案内溝１８が刻設されている。
【００２９】
このように構成された従来の糸条パッケージの製造装置において２つのボビン間での糸の切り替えは次の順で行われる。
【００３０】
まず、図１６および図１７（図１６の側面図）に示すように、巻取位置において、スピンドル６の駆動により矢印Ｎ方向に回転することで、走行糸条１０の巻取が所定の巻量巻き取られた満ボビン７ｂは、スピンドル切替装置５が矢印Ｊ方向に回動することで、図１８および図１９（図１８の側面図）に示すように、空巻ボビン７ａと満ボビン７ｂとの位置が入れ替わる。
【００３１】
続いて、待機位置に移動した満ボビン７ｂに巻かれる走行糸条１０は、糸折り返しバー２５に規制されるとともに巻取位置に移動した空巻ボビン７ａと接触し擦りあった状態となる。
【００３２】
次いで、図２０および図２１（図２０の側面図）に示すように、糸寄せガイド１２が走行糸条１０をトラバース装置１から外すとともに空巻ボビン７ａ端部の糸把持部１７に対応する位置へ移動させる。これにより、走行糸条１０は、糸折り返しバー２５に設けられ、走行糸条１０の走行方向の下流側が満ボビン７ｂの巻幅内に対応する位置で、上流側が空巻ボビン７ａの糸把持部１７に対応する位置に刻設された糸規制溝２４に入り込む。
【００３３】
走行糸条１０が糸規制溝２４に入り込むと瞬時に、糸規制溝２４よりも上流側で走行糸条１０は空巻ボビン７ａ端部の糸把持部１７に把持され、図２２および図２３（図２２の側面図）に示すように、満ボビン７ｂとの間で切れ、空巻ボビン７ａ側に巻付くことで、走行糸条１０は糸寄せガイド１２から外れ、糸寄せガイド１２から外れた走行糸条１０は即座にタッチローラー３の糸条案内溝１８に案内されトラバース装置１の綾振り幅内に案内されるので空巻ボビン７ａ上にテールバンチ巻を形成せず糸切替がなされる。
【００３４】
こうして、図２４および図２５（図２４の側面図）に示すように、空巻ボビン７ａ側への定常巻取が開始される。また、満ボビン７ｂ側の表層部においては満ボビン７ｂに巻かれている走行糸条１０が糸規制溝２４に入ると瞬時に糸切替がなされる（図２０〜図２３）ため、表層バンチ巻の無い糸条パッケージがえられる。
【００３５】
ところで、後者の糸条パッケージの製造装置においては、走行糸条１０がタッチローラー３に最初に接触する位置であるｐ点よりも下流側で走行糸条１０が糸寄せガイド１２から解放される。そのため、図２６（図２１のＡ部拡大図）に示すように、空巻ボビン７ａの回転軸に対し直交するライン（Ｓ−Ｓ）に近い糸条案内溝１８の角度αと糸寄せガイド１２の上流直近で糸条案内溝１８に対応する位置での糸道の角度βとの差が大きく、糸寄せガイド１２から外れた走行糸条１０が、糸条案内溝１８に入りにくい。
【００３６】
それゆえ、最も悪いケースでは、走行糸条１０が糸条案内溝１８に入らず一気にトラバース装置１の綾振り幅内に案内され、空巻ボビン７ａ端部に１周足らずしかテール巻１９を形成せず糸切替する場合がある。このテール巻１９は、ユーザー側で、糸条パッケージ間の糸を連続して使う際に、次に連なる別の糸条パッケージの最外層の糸端と繋ぎあわせるための繋ぎしろであり、通常ボビンの２〜３周分（長さ５００〜９００mm程度）が必要とされている。この繋ぎしろであるテール巻が無い糸条パッケージは、大半のユーザーにはそのまま出荷することは出来ない。
【００３７】
このため、第３の問題点としてテール巻が形成出来なかった糸条パッケージについては、後処理工程で、リワインド装置にて解舒し新たなボビンに巻き返し、テール巻のある状態の糸条パッケージとして再生するための、手直し作業がさけられないことが問題であった。
【００３８】
更に糸寄せガイド１２で走行糸条１０を移動させる際に、空巻ボビン７ａと走行糸条１０とが擦り合い、著しく糸質を劣化させるため、満ボビン７ｂに巻かれるこの部分の最外層の糸は、ユーザーに出荷出来ない。
【００３９】
このため第４の問題点として、後処理工程での最外層糸条の剥脱除去作業がさけられないことと、これによる除去糸屑が発生することが問題であった。
【００４０】
また、従来の糸条巻取用ボビンは、大半が紙製の紙管タイプのものを使用し、糸条パッケージ出荷後ユーザーから回収し何度も再利用する事で生産コストを抑えており、特に産業用途向けの高強度を要する糸条の巻取においては、高強度の糸とボビンが擦れ合う事でボビンを損傷し、ボビンを再利用出きる回数が激減していた。
【００４１】
このため第５の問題点として、ボビンの再利用回数に係わる部分でのコストダウンが出来ないことが問題であった。
【００４２】
以上の走行糸条１０とボビン７の擦過による問題を極力小さくするべく、従来では、走行糸条１０とボビン７の接触度合いを小さくすると言った手段をとっているが、この場合ボビン７端部の糸把持部１７での糸把持性が低下する。
【００４３】
このため第６の問題点として、糸切替成功率の信頼性が低いことも問題であった。
【特許文献１】特開平１−１８７１８２号公報
【特許文献２】特開平５−７８０１２号公報
【特許文献３】特許１３９３９８５号
【発明の開示】
【発明が解決しようとする課題】
【００４４】
本発明の目的は、上述した従来の糸条パッケージ巻取装置における問題点を解決できる糸条パッケージの製造装置および製造方法を提供することにある。すなわち、テールバンチ巻除去作業およびテールバンチ巻除去屑を減少したり、表層バンチ巻除去作業および表層バンチ巻除去屑を減少させたり、テール巻のある糸条パッケージに再生するための手直し作業を減少させるたり、更に、糸条パッケージ最外層糸条の剥脱作業および剥脱屑を減少したりすることで、ボビンの再利用回数を向上させるとともに、より高い切替信頼性を実現することで、生産コストを最小限に抑えることができる糸条パッケージの製造装置および製造方法を提供することにある。
【課題を解決するための手段】
【００４５】
上記目的を達成するために本発明によれば、軸方向端部に糸把持部を備えたボビンを装着した複数のスピンドルと、該複数のスピンドルのうち巻取位置にあるスピンドルと待機位置にあるスピンドルとの位置を切り替えるスピンドル切替装置と、前記巻取位置にあるスピンドルに装着されたボビンに向かって走行してくる走行糸条を前記巻取位置にある前記スピンドルの回転軸方向の所定の綾振り幅にわたって綾振りするトラバース装置と、前記巻取位置にある前記スピンドルに装着された前記ボビンに所定の圧接部位において圧接され、外周面に前記トラバース装置により綾振りされた前記走行糸条を接触させながら前記所定の圧接部位へ、案内し前記巻取位置にある前記スピンドルに装着された前記ボビンに巻取らせるタッチローラーとを備え、前記巻取位置にある前記スピンドルに装着された前記ボビン上に糸条パッケージを形成する糸条パッケージの製造装置であって、
（１）前記タッチローラーよりも前記走行糸条の走行方向の上流に配設され、前記スピンドル切替装置により、前記巻取位置にある前記スピンドルに装着された前記ボビン上に所定の糸条を巻き取って満巻となったときに前記巻取位置にある前記スピンドルと前記待機位置にある空巻のボビンが装着されたスピンドルとの位置の切替を行った後に、前記トラバース装置の綾振り幅外の前記空巻のボビンの前記糸把持部に対応する糸寄せ位置に前記走行糸条を移動させる糸寄せ部を有し、前記走行糸条を前記空巻のボビンの前記糸把持部へ把持させ前記空巻のボビンに前記走行糸条が巻き付く際に前記走行糸条が前記糸寄せ部から外れるよう構成された糸寄せガイドを備え、
（２）前記タッチローラは、前記糸寄せ位置に対応する部位と前記トラバース装置の綾振り幅端部に対応する部位との間に糸条案内溝が形成されており、
（３）前記タッチローラの糸条走行方向上流側に配設され、前記走行糸条の前記把持により前記空巻のボビンに前記走行糸条が巻き付いて前記糸寄せガイドの前記糸寄せ部から外れた前記走行糸条を前記タッチローラに形成された前記糸条案内溝の溝底方向に押さえ付ける糸押さえ部を有する糸押さえガイドを有する。
【００４６】
更には前記糸押さえガイドと前記糸寄せガイドが一体に形成された複合ガイドであることを特徴とする糸条パッケージの製造装置が提供される。
【００４７】
また、軸方向端部に糸把持部を備えたボビンを装着した複数のスピンドルと、該複数のスピンドルのうち巻取位置にあるスピンドルと待機位置にあるスピンドルとの位置を切り替えるスピンドル切替装置と、前記巻取位置にあるスピンドルに装着されたボビンに向かって走行してくる走行糸条を前記巻取位置にある前記スピンドルの回転軸方向の所定の綾振り幅にわたって綾振りするトラバース装置とを備え、前記巻取位置にある前記スピンドルに装着された前記ボビン上に糸条パッケージを形成する糸条パッケージの製造装置であって、
（１）前記巻取位置に位置するスピンドルよりも前記走行糸条の走行方向の上流に配設され、前記スピンドル切替装置により、前記巻取位置にある前記スピンドルに装着された前記ボビン上に所定の糸条を巻き取って満巻となったときに前記巻取位置にある前記スピンドルと前記待機位置にある空巻のボビンを装着したスピンドルとの位置の切替を行った後に、前記トラバース装置の綾振り幅外の前記ボビンの端部に形成された糸把持部に対応する糸寄せ位置に前記走行糸条を移動させる糸寄せ部を有する糸寄せガイドを備え、
（２）前記糸寄せガイドよりも前記走行糸条の走行方向の下流側に配設され、前記糸寄せガイドによる前記走行糸条の移動開始前から、前記走行糸条が前記糸寄せ位置に達するまでは、巻取位置に位置する前記スピンドルに装着された前記空巻の前記ボビンに前記走行糸条が接触しないよう前記走行糸条を案内し、前記走行糸条が前記糸寄せ位置に達する時には前記走行糸条が前記空巻のボビンの前記糸把持部に把持されるべく前記走行糸条の糸道を短くしつつ案内する糸案内ガイドを、有するものである。
更には、前記糸案内ガイドの前記走行糸条の走行方向の下流に配設され、前記走行糸条が、前記巻取位置に位置するスピンドルよりも前記走行糸条の走行方向の上流において前記糸寄せガイドにより前記トラバース装置の前記綾振り幅外に移動させられた際であっても、前記待機位置にあるスピンドルに装着されたボビン近傍では前記走行糸条が前記トラバース装置の綾振り幅内にとどまるよう前記走行糸条の位置を規制する表層糸規制ガイド備え、前記走行糸条を前記空巻のボビンの前記糸把持部へ把持させ前記空巻のボビンに前記走行糸条が巻き付く際に前記走行糸条が前記糸寄せ部から外れるよう前記糸寄せガイドを構成し、前記ボビンの前記糸把持部が、前記ボビンの回転軸に対して実質的に直交する方向に形成されたスリット溝であるとともに、前記糸寄せ位置に位置する際の前記糸寄せガイドの前記糸寄せ部と前記糸案内ガイドの糸案内端とを結ぶ直線が、前記ボビンの回転軸に対して直交する方向にある糸条パッケージの製造装置を提供することにある。
【００４８】
また、前述した糸条パッケージの製造装置における糸条パッケージの製造方法は、軸方向端部に糸把持部を備えたボビンを装着した複数のスピンドルのうち巻取位置にあるスピンドルと待機位置にあるスピンドルとの位置を切り替える構成の糸条パッケージの製造装置を用いて、回転する前記巻取位置にあるスピンドルに装着されたボビンに向かって走行してくる走行糸条を前記巻取位置にある前記スピンドルの回転軸方向の所定の綾振り幅に渡って綾振りし、前記巻取位置にある前記スピンドルに装着された前記ボビンに所定の圧接部位においてタッチローラーを圧接し、前記タッチローラーの外周面に前記綾振りされた前記走行糸条を接触させながら前記所定の圧接部位へ案内し、前記巻取位置にある前記スピンドルに装着された前記ボビンに巻き取らせることで前記巻取位置にある前記スピンドルに装着された前記ボビン上に糸条パッケージを形成する糸条パッケージの製造方法であって、
（１）前記タッチローラーよりも前記走行糸条の走行方向の上流で、前記巻取位置にある前記スピンドルに装着された前記ボビン上に所定の糸条を巻き取って満巻となったときに前記巻取位置にある前記スピンドルと前記待機位置にある空巻のボビンが装着されたスピンドルとの位置を切り替えた後に、前記綾振り幅外の前記空巻のボビンの前記糸把持部に対応する糸寄せ位置に糸寄せガイドの糸寄せ部によって前記走行糸条を移動させ、前記走行糸条を前記空巻のボビンの前記糸把持部に把持させ、前記空巻のボビンに前記走行糸条が巻き付く際に前記走行糸条を前記糸寄せ部から解放し、
（２）前記タッチローラの糸条走行方向上流側で、前記走行糸条の前記把持により前記空巻のボビンに前記走行糸条が巻き付いて前記糸寄せガイドの前記糸寄せ部から外れた前記走行糸条を前記タッチローラの、前記糸寄せ位置に対応する部位と前記綾振り幅端部に対応する部位との間に形成された糸条案内溝に案内し、
（３）前記糸条案内溝に案内された前記走行糸条を前記タッチローラに形成された前記糸条案内溝の溝底方向に押さえ付け、前記空巻ボビンによる前記糸条の巻取を開始させることを特徴とする糸条パッケージの製造方法を提供する。
また、軸方向に糸把持部を備えたボビンを装着した複数のスピンドルのうち巻取位置にあるスピンドルと待機位置にあるスピンドルとの位置を切り替える構成の糸条パッケージの製造装置を用いて、回転する前記巻取位置にあるスピンドルに装着されたボビンに向かって走行してくる走行糸条を前記巻取位置にある前記スピンドルの回転軸方向の所定の綾振り幅に渡って綾振りし、前記巻取位置にある前記スピンドルに装着された前記ボビンに巻き取らせることで前記巻取位置にある前記スピンドルに装着された前記ボビン上に糸条パッケージを形成する糸条パッケージの製造方法であって、
（１）前記巻取位置に位置するスピンドルよりも前記走行糸条の走行方向の上流で、前記巻取位置にある前記スピンドルに装着された前記ボビン上に所定の糸条を巻き取って満巻となったときに前記巻取位置にある前記スピンドルと前記待機位置にある空巻のボビンを装着したスピンドルとの位置を切り替えた後に、糸寄せガイドの糸寄せ部で前記綾振り幅外の前記ボビンの端部に形成された糸把持部に対応する糸寄せ位置に前記走行糸条を移動させ、
（２）前記糸寄せガイドよりも前記走行糸条の走行方向の下流側で、前記糸寄せガイドによる前記走行糸条の移動開始前から、前記走行糸条が前記糸寄せ位置に達するまでは、巻取位置に位置する前記スピンドルに装着された前記空巻の前記ボビンに前記走行糸条が接触しないよう前記走行糸条を案内し、前記走行糸条が前記糸寄せ位置に達する時には前記走行糸条が前記空巻のボビンの前記糸把持部に把持されるべく前記走行糸条の糸道を短くしつつ案内するものである。
更には、前記走行糸条が、前記巻取位置に位置するスピンドルよりも前記走行糸条の走行方向の上流において前記糸寄せガイドにより前記綾振り幅外に移動させられた際であっても、前記待機位置にあるスピンドルに装着されたボビン近傍では前記走行糸条が前記綾振り幅内にとどまるよう前記走行糸条の位置を規制し、前記走行糸条を前記空巻のボビンの前記糸把持部へ把持させ前記空巻のボビンに前記走行糸条が巻き付く際に前記走行糸条を前記糸寄せガイドの前記糸寄せ部から解放するとともに前記ボビンとして、前記糸把持部が、前記ボビンの回転軸に対して実質的に直交する方向に形成されたスリット溝として形成され、該スリット溝に前記走行糸条を挟むことで前記走行糸条を把持するものを用い、前記スリット溝に前記走行糸条を把持する際、前記走行糸条の糸道を前記スリット溝部ライン上に合致させることを特徴とする糸条パッケージの製造方法を提供することにある。
【発明の効果】
【００４９】
本発明の好ましい形態によれば、以下に説明するとおり、糸切替に際し、空巻ボビンに巻付いた糸道では糸寄せガイドの糸寄せ部から走行糸条が外れ、一定の位置で規制されること無くタッチローラーに螺旋状に刻設された糸条案内溝に沿って、トラバース装置の綾振り幅内に案内されるため、テールバンチ巻が無い糸切替ができる。
【００５０】
さらに、走行糸条が糸寄せガイドから解放される際、タッチローラーの糸条案内溝と近い角度で糸道を形成しているためスムーズに糸条案内溝に導入され、糸条案内溝に入った走行糸条を糸押さえガイドの糸押さえ部で糸条案内溝の溝底方向に押さえつけることにより、糸が糸条案内溝を跳び越えること無く、安定したテール巻を形成することができる。
【００５１】
また、本発明の別の好ましい形態によれば、糸寄せガイドの糸寄せ部でトラバース装置の綾振り幅外へ走行糸条を移動させる際、ボビン端部の糸把持部に対応する位置まで移動させるだけで糸自体の張力により走行糸条が糸把持部に圧接し、すばやく空巻側のボビンに糸が掛かり糸切替がされる。このため、糸条パッケージである満巻側のボビンに表層バンチ巻が無い糸切替ができるとともに、巻取位置に待機した空巻側ボビンと走行糸条が、接触しない位置で走行糸条を移動するため、糸およびボビンにダメージを与えない糸切替ができる。
【００５２】
また、本発明のより好ましい形態によれば、ボビンの糸把持部をボビン回転軸方向に対して直交する方向のスリット溝とし、このスリット溝に走行糸条を案内する際、スリット溝部ライン上に合致する糸道にする事で、満ボビンから空ボビンへ確実に糸を受け渡すことができ、より信頼性の高い糸切替ができる。
【００５３】
以上の効果により、本発明の好ましい形態においては、テールバンチ巻が実質的に無くなることでテールバンチ巻除去作業およびテールバンチ巻除去屑を減少する。また、安定したテール巻を形成することで、テール巻のある糸条パッケージに再生するための手直し作業を減少させることができる。また、表層バンチ巻が無くなることで、表層バンチ巻除去作業および表層バンチ巻除去屑を減少させることができる。更に、糸およびボビンにダメージを与えない糸切替をすることで、糸条パッケージ最外層糸条の剥脱作業および剥脱屑を減少するとともに、ボビンの再利用回数を向上させることができる。そして糸切替の信頼性向上により、生産効率を向上させることができる。以上により人員コストおよびランニングコストを大幅に削減することができるものである。
【００５４】
また、本発明の糸条パッケージの製造装置の好ましい形態によれば、トラバース装置の綾振り幅外に走行糸条を移動した際に、一旦糸条を預ける糸係止ガイドと走行糸条を受け渡すべく空ボビン向かって押さえつける糸掛けガイドが、ともに無く、両者に付随するアクチュエータも無い構成となるため非常にシンプルな装置構成となり装置自体のコストも下げることができる。
【００５５】
以上により、本発明の糸条パッケージの製造装置および方法によれば、より低コストでの糸条パッケージの生産を実現することができるものである。
【発明を実施するための最良の形態】
【００５６】
以下、本発明の最良の実施形態の一例を産業用ポリエステルフィラメントパッケージの製造装置に適用した場合を例にとって、図面を参照しながら説明する。
【００５７】
図２７〜図３６は、本実施形態例に係る糸条パッケージの製造装置の具体的な動作を正面または側面から示す図である。また、図３７〜図３９は、本実施形態例の動作に係る詳細図を示している。
【００５８】
図２７および図２８（図２７の側面図）において、糸条パッケージ４は、５０００ｍ／分の速度で回転しながら糸条を巻取中であり、所定の巻取量の巻取をほぼ完了しつつ、待機位置で待機する空巻ボビン７ａに糸切替をする直前の状態を示している。装置構成としては、紡出され矢印Ｈ方向に送られてくる走行糸条１０を綾振りするためのトラバース装置１とトラバース装置１により確実に走行糸条１０が綾振りされるよう、走行糸条１０を挟んでトラバース装置１に対向する位置にトラバース装置１側から走行糸条１０が外れない様に対向板２を設けている。
【００５９】
綾振りされた走行糸条１０は、糸条パッケージ４の外周に所定の圧力を加えるためのタッチローラー３を返してボビン７に巻取られることで糸条パッケージ４を形成するようになっている。糸条パッケージ４は、図２７および２８では巻取位置でほぼ満巻となった状態である。タッチローラー３は、空巻ボビン７ａまたは、ボビン７上に巻かれた糸条パッケージ最外層の糸条との接触により従動回転する構成であり、端部には、糸切替直後、空巻ボビン７ａの端部にテール巻１９を形成するべく走行糸条１０を規制するとともにトラバース装置１の綾振り幅内へと案内する螺旋状の糸案内溝１８が刻設されている。
【００６０】
ボビン７は端部に糸把持部１７を有し、図示していない駆動モーターにより独立して回転可能な２本のスピンドル６にそれぞれ装着されている。またスピンドル６は、スピンドル切替装置５に固定されており、スピンドル切替装置５は、図示していないモーターにより矢印Ｊ方向に回転することで、空巻ボビン７ａまたは、ボビン７上に巻かれた糸条パッケージ４の最外層の糸条が、タッチローラー３と接触する巻取位置と、糸切替のために空巻ボビン７ａをスピンドル６に装着し待機する待機位置とに糸切替毎に交互に移動する構成となっている。
【００６１】
また、タッチローラー３に走行糸条１０が最初に接触する位置であるｐ点とトラバース装置１との間には、糸切替時に走行糸条１０をボビン７の回転軸方向に移動させトラバース装置１から外し、空巻ボビン７ａの端部に対応する位置へと移動させるための糸寄せ部３７を有する複合ガイド３５が配設されている。糸切替が完了し、巻取位置の空巻ボビン７ａ側に巻き付いた糸道になると走行糸条１０が複合ガイド３５の糸寄せ部３７の規制から外れるように複合ガイド３５の位置および形状が設定されている。
【００６２】
また、複合ガイド３５のタッチローラー３に対向する辺は糸押さえ部３８であり、糸切替後、タッチローラー３の糸条案内溝１８に規制されつつトラバース装置１の綾振り幅内に案内される走行糸条１０を糸条案内溝１８から飛び出さない様に、走行糸条１０を糸条案内溝１８の溝底方向に押さえるためのものである。本実施形態例では、設備をシンプルにするため、糸寄せ部３７と糸押さえ部３８を一体物構成とした複合ガイド３５としているが、糸寄せ部を有する糸寄せガイドと糸押さえ部を有する糸押えガイドとにそれぞれ独立した構成でもよい。
【００６３】
また、糸切替時に巻取位置に位置する糸条パッケージ４である満ボビン７ｂが、スピンドル切替装置５の回動により待機位置へと移動した際、待機位置から巻取位置に移動した空巻ボビン７ａに接触しないように、図２９に示すごとく、空巻ボビン７ａから走行糸条１０を遠ざける方向（矢印Ｕ方向）に走行糸条１０を押し寄せる糸案内ガイド３１が、フレーム３３によりスピンドル切替装置５上に設置されている。
【００６４】
糸案内ガイド３１は図３１および図３２（図３１の側面図）に示す様に、複合ガイド３５の糸寄せ部３７で空巻ボビン７ａ端部の糸把持部１７に対応する位置に移動させた際には、走行糸条１０を空巻ボビン７ａと接触しない位置から空巻ボビン７ａ端部の糸把持部１７に圧接する位置であるｇ点へと糸道を短くする形状（図３２のＹ−Ｙ矢視を示す図３７を参照）としている。これにより走行糸条１０を走行糸条１０自体のもつ張力により、ｇ点に案内させるものである。
【００６５】
図３７に示すように、本実施形態例では、よりスムーズに走行糸条１０をｇ点に案内するため、糸案内ガイド３１は、徐々に走行糸条１０の糸道が短くなる形状にしスムーズに走行糸条１０をｇ点に案内するべくスムージング部３６を有している。また、糸案内ガイド３１は、２本のスピンドル６に対しそれぞれ１ユニット配設されており、スピンドル切替装置５の回動によりスピンドル６とともに移動する構成となっている。更にフレーム３３上には、満ボビン７ｂの表層への糸道を規制するための表層糸規制ガイド１１を設置している。この表層糸規制ガイド１１は複合ガイド３５の糸寄せ部３７で、走行糸条１０を空巻ボビン７ｂ端部方向へ移動させた際、待機位置に移動した糸条パッケージ４である満ボビン７ｂに巻かれる走行糸条１０が満ボビン７ｂの巻幅外に移動し、満ボビン７ｂの表層上からの脱落を防止する目的のものである。
【００６６】
本実施形態例において、トラバース装置１は、複数枚の羽根トラバースガイドを有するものを使用しているが、カム方式等糸条を綾振りできる構造のものであれば、どのような構造のものでもよい。また、スピンドル６は、回転停止中にボビン７のチャックおよびリリースが図示していない操作スイッチにより必要に応じ自由に操作できる構造になっており、巻取能力としては、ボビン７に走行糸条１０を最大６０００ｍ／分の速度まで巻き取れるものを使用している。スピンドル６は、６０００ｍ／分を越える超高速タイプのものでも１０ｍ／分以下の極低速タイプのものでもよく、巻取る糸条または線状体の特性や、上流側の条件に合った仕様でよい。
【００６７】
ボビン７については、紙管タイプのものを使用している。樹脂または金属製等でもよいが、軽くて比較的コストが低いものが好ましい。ボビン７端部の糸把持部１７は、外径９０mmのボビン７上にボビン７の回転軸と直交する方向で、ボビン７の端から１０mmの位置に開口部の隙間が０.８mmで、長さが２００mmの断面がＶ型のスリット溝を刻んだものを使用している。図４０に示すごとく、ボビン７に隣接し、リング状の把持部材４０をスピンドル６に装着することで、ボビン７と把持部材４０の間にできるスリット状の隙間（見かけ上スリット溝と同じ）を糸把持部としその隙間に走行糸条１０を挟むことで糸把持する方式でもよい。比較的強度の強い糸条を紙管に巻取る場合は、紙管上のスリット溝では、把持強度も弱く破損する可能性も高いので、この様な方式を採用することが好ましい。
【００６８】
タッチローラー３は、ボビン７または、ボビン７上に巻かれた糸条との接触により、従動する方式のものを使用しているが、モーター等により駆動する方式でもよい。本実施形態において、タッチローラー３に螺旋状に刻設した糸条案内溝１８は、タッチローラー３の外径４５mmに対して深さ１.８mmの溝をピッチ２mmで、溝角度αは１.５°の角度で刻設されている。これら糸条案内溝に関してのスペックは、対象となる糸条または線状体の特に太さにより、決められるが、溝角度αについては、糸条または線状体の違いに係わらず、極力小さい方がよく、好ましくは、１０°以下でより好ましくは、３°以下であることがよい。
【００６９】
本実施形態例においては、スピンドル６上にボビン７を１個装着し巻取を行う構成としているが、スピンドル６の同軸上に複数個のボビン７を装着し、巻取および糸切替をする構成としてもよい。この様な場合、ボビン７の数に応じ、対応する位置にそれぞれ複合ガイド３５や糸案内ガイド３１，表層糸規制ガイド１１，糸条案内溝１８等を設ける必要がある。
【００７０】
上記の様に構成された装置において、本発明に係る糸条パッケージの製造方法は、次の様な順序で実施される。
【００７１】
まず図２７および図２８（図２７の側面図）に示すように、矢印Ｈ方向に走行する走行糸条１０は、トラバース装置１に綾振りされながらタッチローラー３にて所定の圧力を与えられながら矢印Ｎ方向に回転するボビン７（図では満ボビン７ｂで表している）に巻かれている。ボビン７は、図示していない駆動モーターにより、駆動されるスピンドル６により、５０００ｍ／分の速度で、走行糸条１０を巻取っており、図２７および図２８（図２７の側面図）において巻取位置で巻取中のボビン７は、ほぼ所定の巻量が巻上がった状態の満ボビン７ｂ（糸条パッケージ４）となっており、図示していない巻量検知器からの満巻信号により、糸切替をする直前の状態を示している。この時、もう一方側のスピンドル６に装着された空巻ボビン７ａは、糸切替の準備をするべく満ボビン７ｂと同じ矢印Ｎ方向に回転し定常巻取速度相当に昇速されている。
【００７２】
次いで、糸切替に入ると図２９および図３０（図２９の側面図）に示すごとく、スピンドル切替装置５が矢印Ｊ方向に１８０度回転したことで、満ボビン７ｂは、タッチローラー３に接触しながら走行糸条１０をボビン７上に巻取る巻取位置から、待機位置へと、また、空巻ボビン７ａは、待機位置からタッチローラー３に接触する巻取位置へとそれぞれ移動する。このとき、走行糸条１０は、スピンドル切替装置５の回動によりスピンドル切替装置５上にフレーム３３を返して設置された糸案内ガイド３１にすくい上げられるごとくに空ボビン７ａに接触しないよう、空巻ボビン７ａから遠ざける方向（矢印Ｕ方向）に移動させられながらも、走行糸条１０は、待機位置にて満ボビン７ｂに巻取られている。
【００７３】
この際、トラバース装置１０から外れないように、走行糸条１０は、対向板２に規制されているため、待機位置での満ボビン７ｂへの巻取においても走行糸条１０は、綾振りされた状態で巻取られる。
【００７４】
その後、図３１および図３２（図３１の側面図）に示すごとく、図示してないアクチュエータにより複合ガイド３５が、矢印Ｌ方向に向かって、空巻ボビン７ａ端部の糸把持部１７に対応する位置へと移動すると複合ガイド３５の糸寄せ部３７に押され移動する走行糸条１０は、図３２のＹ−Ｙ矢視図である図３７に示すように、糸案内ガイド３１に沿ってｄ，ｅ，ｆ位置へと順に移動しｇ位置へと案内される。この時ｇ位置へ案内されるまで走行糸条１０は空巻ボビン７ａと接触しないため走行糸条１０および空巻ボビン７ａがダメージを受けることはない。
【００７５】
また、走行糸条１０はｇ位置に移動するにつれて、糸道が短くなるが、この時、走行糸条１０は待機位置の満ボビン７ｂに巻取られているため、ある程度の張力を保有している。そのため、その張力により、走行糸条１０は弛むこと無く、スムーズかつ瞬時にｇ位置に案内される。本実施形態例では、走行糸条１０をよりスムーズに案内するべく、糸案内ガイド３１にスムージング部３６を設けている。このスムージング部３６は、走行糸条１０をｇ位置に案内する際、徐々に糸道が短くなる形状としている。走行糸条１０はｇ位置に案内されると、複合ガイド３５の糸寄せ部３７の移動端と糸案内ガイド３１の案内端であるｇ点とを結ぶ直線Ｒ−Ｒが空巻ボビン７ａの回転軸と直交する方向でかつ糸把持部１７として設けたスリット溝に対応する位置に糸道形成される。このため、走行糸条１０は、に空巻ボビン７ａの端部の糸把持部１７として設けたスリット溝上にスリット溝のラインに合致する形で即座に接触し、走行糸条１０の持つ張力により圧接され、スリット溝の隙間に走行糸条１０が挟まれるとともに把持される。
【００７６】
そして、図３３および図３４（図３３の側面図）に示すように、満ボビン７ｂと空巻ボビン７ａとの間で走行糸条１０は引き合いにより切断さることで、走行糸条１０は、空巻ボビン７ａ側に受け渡されるため、安定した糸切替えがなされる。
【００７７】
この際、空巻ボビン７ａ側に巻付く糸道となった走行糸条１０は、複合ガイド３５の糸寄せ部３７の規制から解放され一定の位置で規制されることが無くなる。
【００７８】
さらに、図３８（図３２のＤ部拡大図）に示すように、タッチローラー３の糸条案内溝１８の溝角度α＝１.５度と複合ガイド３５の糸寄せ部３７から解放される直前の走行糸条１０の角度β′＝０度が、ほぼ近い角度であるため、図３９（図３４のＸ矢視図）に示す様に走行糸条１０は、複合ガイド３５の糸寄せ部３７に規制されていた位置ｈから矢印ｗ方向にタッチローラー３の糸条案内溝１８に入り、スムーズにｉ，ｊ，ｋの位置へと順にタッチローラー３の回転により螺旋状の糸条案内溝１８に沿って送られる。走行糸条１０は、複合ガイド３５の糸押さえ部３８により糸条案内溝１８の溝底方向に押されているため、糸条案内溝１８を飛び越えること無く、トラバース装置１の綾振り幅内に向かって案内されるため、ボビン７端部にテールバンチ巻を形成すること無くかつ、２〜３巻のテール巻１９を安定して形成し定常巻取に入ることができる。
【００７９】
本実施形態例において、図３９（図３４のＸ矢視図）に示すごとくに、複合ガイド３５の糸押さえ部３８とタッチローラー３の位置関係は、糸条案内溝１８の溝深さｍが１.８mmに対し溝底から糸押さえ部３８の距離をｎを２.５mmとしているが、距離ｎが、溝深さｍよりも小さくなってもよいし、マイナス側の寸法（溝底よりも深い位置）になってもよい。
【００８０】
ただしこの様な場合は糸切替後、複合ガイド３５を糸寄せ前の退避位置へ移動させる際に、定常巻取に入りトラバース装置１に綾振りされている糸条を引っ掛ける恐れがあるため、一旦タッチローラー３から遠ざける方向に複合ガイド３５を移動させた後、糸寄せ前の退避位置へ移動させることが好ましい。
【００８１】
また、待機位置の満ボビン７ｂに巻かれていた走行糸条１０は、ｇ位置に案内される際、満ボビン７ｂの巻幅外に出ないように、表層糸規制ガイド１１に規制されるが、ｇ位置に案内されるとすばやく空巻ボビン７ａ側に走行糸条１０が受け渡されるため満ボビン７ｂの外周には、表層バンチ巻が形成するに至らないため表層バンチ巻の実質的に無い糸切替がなされる。
【００８２】
以上のように、本実施形態例においては、実質的に、ボビン上にテールバンチ巻を形成することなくテール巻を形成し、また表層バンチ巻をも形成せず、糸およびボビンにダメージを与えることなく確実かつ安定した糸切替ができる。
【実施例】
【００８３】
以上説明した本発明に係る糸条パッケージの製造装置を用いて、５６０デジテックス９６フィラメントの産業用ポリエステルフィラメント１０Ｋｇ巻パッケージ１００００個を製造した結果、糸切替失敗も無く、ほぼ全ての糸条パッケージにおいて、テールバンチ巻，表層バンチ巻ともに形成されることなくまた、２〜３巻の安定したテール巻が形成できた。糸、ボビンともに糸切替によるダメージを受けることも無かったため、巻上がった後の手直しまたは、不良糸の除去が一切必要無く、ボビンについても５回程度しか再利用できなかったものが１０回以上再利用しても、問題無い事を確認した。
【００８４】
さらに、本発明に係る糸条パッケージの製造装置では、従来装置の様に、空巻ボビン側に糸掛け後、走行糸条を一定の位置で規制する糸係止ガイドおよび、糸掛け時に満ボビンに巻取られている走行糸条を空ボビン側に押付ける糸掛けガイドが無いため、これらに係わるアクチュエータ等も無く、設備がシンプルな構成となっている。以上により、本実施例においては、後処理工程での手直しに係る人員コストが削減でき、糸屑の発生も無く、安定した糸切替性から連続生産に優れ、ボビンの再利用回数も倍増し、設備費も安価であったことから、糸条パッケージの製造コストを大幅に下げることができた。
【産業上の利用可能性】
【００８５】
本発明は、糸条パッケージの製造装置に限らず、その他の線状体の巻取装置などにも応用することができるが、その応用範囲が、これらに限られるものではない。
【図面の簡単な説明】
【００８６】
【図１】従来の糸条パッケージ製造装置の一例を示し、糸条パッケージが巻上がり切替動作に入る直前の状態を示す概略正面図である。
【図２】図１装置の概略側面図である。
【図３】図１装置において切替動作に入り、満ボビンと空巻ボビンが移動し位置が入れ替わった状態を示す概略正面図である。
【図４】図３の概略側面図である。
【図５】図１装置において糸寄せガイドにて走行糸条を空巻ボビン端部に移動させた状態を示す概略正面図である。
【図６】図５の概略側面図である。
【図７】図１装置において走行糸条を糸係止ガイドに預けた状態を示す概略正面図である。
【図８】図７の概略側面図である。
【図９】図１装置において満ボビンに巻かれる走行糸条を空巻ボビンに受け渡した直後の状態を示す概略正面図である。
【図１０】図９の概略側面図である。
【図１１】図１装置において空巻ボビンに受け渡された後の走行糸条を糸係止ガイドから解放した直後の状態を示す概略正面図である。
【図１２】図１１の概略側面図である。
【図１３】図１装置において糸切替が完了し空巻ボビン側に定常巻取が開始された状態を示す概略正面図である。
【図１４】図１３の概略側面図である。
【図１５】図９のＺ−Ｚ矢視図である。
【図１６】図１とは異なる従来の糸条パッケージ製造装置の一例を示し、糸条パッケージが巻上がり切替動作に入る直前の状態を示す概略正面図である。
【図１７】図１６の概略側面図である。
【図１８】図１６装置において切替動作に入り、満ボビンと空巻ボビンが移動し位置が入れ替わった状態を示す概略正面図である。
【図１９】図１８の概略側面図である。
【図２０】図１６装置において糸寄せガイドにて走行糸条を空巻ボビン端部に移動させた状態を示す概略正面図である。
【図２１】図２０の概略側面図である。
【図２２】図１６装置において満ボビンに巻かれていた走行糸条が空巻ボビンの糸把持部に把持され空巻ボビンに受け渡された直後の状態を示す概略正面図である。
【図２３】図２２の概略側面図である。
【図２４】図１６装置において糸切替が完了し空巻ボビン側に定常巻取が開始された状態を示す概略正面図である。
【図２５】図２４の概略側面図である。
【図２６】図２３のＡ部拡大図である。
【図２７】本発明の糸条パッケージ製造装置の一実施形態例を示し、糸条パッケージが巻上がり切替動作に入る直前の状態を示す概略正面図である。
【図２８】図２７の概略側面図である。
【図２９】図２７に示す本発明装置において切替動作に入り、満ボビンと空巻ボビンが移動し位置が入れ替わった状態を示す概略正面図である。
【図３０】図２９の概略側面図である。
【図３１】図２７に示す本発明装置において糸寄せガイドにて走行糸条を空巻ボビン端部に移動させた直後の状態を示す概略正面図である。
【図３２】図３１の概略側面図である。
【図３３】図２７に示す本発明装置において、糸切替し空ボビン側に走行糸条が巻付いた直後の状態を示す概略正面図である。
【図３４】図３３の概略側面図である。
【図３５】図２７に示す本発明装置において、糸切替が完了し空巻ボビン側に定常巻取が開始された状態を示す概略正面図である。
【図３６】図３５の概略側面図である。
【図３７】図３２のＹ−Ｙ矢視図である。
【図３８】図３２のＤ部拡大図である。
【図３９】図３４のＸ矢視図である。
【図４０】本発明における糸把持部の別の構成を示した図である。
【符号の説明】
【００８７】
１：トラバース装置
２：対向板
３：タッチローラー
４：糸条パッケージ
５：スピンドル切替装置
６：スピンドル
７：ボビン（７ａ：空巻ボビン，７ｂ：満ボビン）
９：糸逃がしバー
１０：走行糸条
１１：表層糸規制ガイド
１２：糸寄せガイド
１３：アクチュエータ
１５：糸係止ガイド
１６：糸掛けガイド
１７：糸把持部
１８：糸条案内溝
１９：テール巻
２０ａ：バンチ巻（ボビン上に形成）
２０ｂ：バンチ巻（糸条パッケージ表層上に形成）
２４：糸規制溝
２５：糸折り返しバー
３１：糸案内ガイド
３３：フレーム
３５：複合ガイド
３６：スムージング部
３７：糸寄せ部
３８：糸押さえ部
４０：把持部材
【図１】
2006248639.tif 000003
【図２】
2006248639.tif 000004
【図３】
2006248639.tif 000005
【図４】
2006248639.tif 000006
【図５】
2006248639.tif 000007
【図６】
2006248639.tif 000008
【図７】
2006248639.tif 000009
【図８】
2006248639.tif 000010
【図９】
2006248639.tif 000011
【図１０】
2006248639.tif 000012
【図１１】
2006248639.tif 000013
【図１２】
2006248639.tif 000014
【図１３】
2006248639.tif 000015
【図１４】
2006248639.tif 000016
【図１５】
2006248639.tif 000017
【図１６】
2006248639.tif 000018
【図１７】
2006248639.tif 000019
【図１８】
2006248639.tif 000020
【図１９】
2006248639.tif 000021
【図２０】
2006248639.tif 000022
【図２１】
2006248639.tif 000023
【図２２】
2006248639.tif 000024
【図２３】
2006248639.tif 000025
【図２４】
2006248639.tif 000026
【図２５】
2006248639.tif 000027
【図２６】
2006248639.tif 000028
【図２７】
2006248639.tif 000029
【図２８】
2006248639.tif 000030
【図２９】
2006248639.tif 000031
【図３０】
2006248639.tif 000032
【図３１】
2006248639.tif 000033
【図３２】
2006248639.tif 000034
【図３３】
2006248639.tif 000035
【図３４】
2006248639.tif 000036
【図３５】
2006248639.tif 000037
【図３６】
2006248639.tif 000038
【図３７】
2006248639.tif 000039
【図３８】
2006248639.tif 000040
【図３９】
2006248639.tif 000041
【図４０】
2006248639.tif 000042